(57)【要約】【課題】  着物等の和装品を手入れすることなく、カビの発生や虫食いを防止しながら、型崩れしないように長期間保管しうる和装品保管具を提供する。【解決手段】  和装品を内部に収納して密封しうる袋部材と、上記和装品を被覆して上記袋部材内部に収納されるカバー部材と、上記和装品を被覆した上記カバー部材と共に上記袋部材内部に収納される酸素吸収部材とからなる。また、上記カバー部材として畳紙が使用される。また、上記袋部材内部には湿度調整部材も一緒に収納され、上記湿度調整部材としては調湿シートが用いられる。また、上記酸素吸収部材は、酸素を吸収した状態を表示しうる検出部材を有している。【選択図】  図２
0003118881.tif 000002
【実用新案登録請求の範囲】
【請求項１】
和装品を被覆しうるカバー部材と、酸素吸収剤と、上記カバー部材により被覆された和装品及び酸素吸収剤を密閉して収納しうる袋部材とを有することを特徴とする和装品保管具。
【請求項２】
上記カバー部材として畳紙が使用されていることを特徴とする請求項１記載の和装品保管具。
【請求項３】
上記袋部材内部には湿度調整部材が収納されることを特徴とする請求項１及び２記載の和装品保管具。
【請求項４】
上記湿度調整部材として調湿シートが用いられることを特徴とする請求項３記載の和装品保管具。
【請求項５】
上記袋部材は、外側にナイロン層を、内側にポリエチレン層を有する二層構造のプラスチックシートにより形成され、一辺部に開口部を有する略方形に形成され、上記開口部は熱溶着により密封しうるように形成されていることを特徴とする請求項１〜７記載の和装品保管具。
【考案の詳細な説明】
【技術分野】
【０００１】
本考案は和装品保管具に係り、特に、着物や帯等の和装品の保管時におけるカビの発生や虫食いを防止しうる和装品保管具に関する。
【背景技術】
【０００２】
従来、ブーツ、衣類、バッグ等を長期間保管する場合は、紙製の箱等に収納する場合が多かった。
しかしながら、保管中にカビが発生したり、虫食いされるという不具合があり、定期的に手入れをする必要があり煩雑であった。
【０００３】
そこで、上記物品を手入れの必要なく保管できるように構成された保管具が発明され、特許文献１により公知になっている。
上記保管具は、被保管物を袋体の内部に酸素吸収体と共に密封して該袋体内部の空気中の酸素を除去するように構成されている。
【特許文献１】特開２００４−１５５４９２号公報
【０００４】
ところで、着物や帯等の和装品の場合は、絹や木綿等の環境の影響を受けやすい繊細な素材が使用されていることが多いことから皺がよりやすく、和装品には高価なものが多く皺が発生した場合には致命的な問題となる。
しかしながら、上記従来の公報に記載された技術にあっては、被保管物をそのまま袋体に収納するように構成されていることから、和装品を上記袋体に収納した場合には、収納または保管のために載置する過程で、和装品と袋体の内面がこすれ、収納した容易に皺が発生してしまう可能性がある。
【０００５】
また、和装品をそのまま袋体に収納した場合には、収納の際又は収納後保管のために所定場所に載置する際に、畳んだ状態の和装品に型崩れが生じ、着物の生地の見映えが低下してしまう場合もある。
従って、上記従来の公報所載の技術にあっては、和装品を収納する場合には充分に対応できない、という不具合が存していた。
【考案の開示】
【考案が解決しようとする課題】
【０００６】
そこで本考案の課題は、特に、和装品を収納する場合に、皺や型崩れを発生させることなく、カビの発生や虫食いを防止しながら長期間保管しうる和装品保管具を提供することにある。
【課題を解決するための手段】
【０００７】
上記課題を解決するために、請求項１記載の本考案に係る和装品保管具は、和装品を被覆しうるカバー部材と、酸素吸収剤と、上記カバー部材により被覆された和装品及び酸素吸収剤を密閉して収納しうる袋部材とを有することを特徴とする。
【０００８】
即ち、請求項１記載の本考案に係る和装品保管具にあっては、着物等の和装品を被保管物とし、その和装品をまず上記カバー部材で被覆してから、上記袋部材の内部に収納すると共に、上記酸素吸収部材も一緒に上記袋部材の内部に収納して、上記袋部材の開口部を密封するように構成されている。
【０００９】
また、請求項２記載の本考案に係る和装品保管具は、上記カバー部材として畳紙が使用されていることを特徴とする。
【００１０】
即ち、請求項２記載の本考案に係る和装品保管具にあっては、上記和装品を被覆するカバー部材として、着物等の和装品が直接に袋部材の内表面と接触して型崩れしないように、また地表面に皺が発生しないように和装品を包むことができる畳紙（タトウ紙）が使用されている。
【００１１】
また、請求項３記載の本考案に係る和装品保管具は、上記袋部材内部には湿度調整部材も収納されることを特徴とする。
【００１２】
即ち、請求項３記載の本考案に係る和装品保管具にあっては、上記袋部材に収納された上記和装品が湿度の悪影響を受けないように、上記袋部材の内部に湿度調整部材も一緒に封入されるように構成されている。
【００１３】
また、請求項４記載の本考案に係る和装品保管具は、上記湿度調整部材として調湿シートが用いられることを特徴とする。
【００１４】
即ち、請求項４記載の本考案に係る和装品保管具にあっては、上記袋部材内部の湿度を調整するために上記袋部材の内部に収納される湿度調整部材として、薄く嵩張らないシート状の調湿シートが使用されている。
【００１５】
また、請求項５記載の本考案に係る和装品保管具は、上記袋部材は、外側にナイロン層を、内側にポリエチレン層を有する二層構造のプラスチックシートにより形成され、一辺部に開口部を有する略方形に形成され、上記開口部は熱溶着により密封しうるように形成されていることを特徴とする。なお、上記ナイロンは、通気性のない特殊なナイロンである。
【００１６】
即ち、請求項５記載の本考案に係る和装品保管具にあっては、上記袋部材の強度を高めて損傷しにくくするために、上記袋部材の素材として使用されるプラスチックシートは、外側にナイロン層を、内側にポリエチレン層を有する二層構造のものを使用している。
また、上記のように二層構造のプラスチックシートを使用することにより、いわゆるガスバリアー性が向上して酸素が袋部材を透過するのを防止することができる。
【考案の効果】
【００１７】
請求項１記載の本考案に係る和装品保管具は、和装品を被覆しうるカバー部材と、酸素吸収剤と、上記カバー部材により被覆された和装品及び酸素吸収剤を密閉して収納しうる袋部材とを有することを特徴とすることから、上記酸素吸収部材により上記袋部材の内部の酸素が除去され若しくは減少するので、上記袋部材に収納された和装品にはカビが発生しにくくなり且つ虫食いも生じにくくなり、手入れすることなく良好な状態で長期間保管することができる。
【００１８】
また、和装品は上記カバー部材により被覆された状態で袋部材に収納されることから収納の際、及び、収納後保管場所へ載置する過程で袋部材の内表面とこすれ、収納された和装品に皺が発生することがなく、和装品を皺が発生しない状態で保管することが可能となる。
【００１９】
さらに、同様に、上記カバー部材により被覆された状態で和装品が袋体に収納されることから、収納の際又は収納後保管のために所定場所に載置する際に、畳んだ状態の和装品に型崩れが生じ、着物の生地の見映えが低下してしまう、という事態を有効に防止し、和装品の外観品質を良好に保持した状態で長期間保存することができる。
【００２０】
また、請求項２記載の本考案に係る和装品保管具は、上記カバー部材として畳紙（タトウがみ）が使用されていることから、上記畳紙により着物や帯等和装品が整頓された状態で保管され、和装品が保管中に乱雑になり、型崩れするのを防止することができる。
【００２１】
また、請求項３記載の本考案に係る和装品保管具は、上記袋部材内部には湿度調整部材も収納されることから、上記袋部材内部の湿度が一定に保たれ、和装品が湿ってしまう事態や、乾燥しすぎる事態を防止することができる。
【００２２】
また、請求４記載の本考案に係る和装品保管具は、上記湿度調整部材として調湿シートが用いられることから、上記湿度調整部材が嵩張らず、湿度を調整するための具が過大になるのを回避することができる。したがって、上記湿度調整部材を用いることにより上記袋部材内部の容積が狭められることがなく、和装品の収納スペースが制約される不具合がない。
【００２３】
また、請求項５記載の本考案に係る和装品保管具は、上記袋部材は、外側にナイロン層を、内側にポリエチレン層を有する二層構造のプラスチックシートにより形成され、一辺部に開口部を有する略方形に形成され、上記開口部は熱溶着により密封しうるように形成されていることから、上記袋部材のガスバリアー性が向上して空気が通過しにくくなり、上記袋部材内部への外部からの酸素侵入を防止することができる。
また、上記袋部材の開口部を熱溶着により容易に閉合して密封することができる。
【考案を実施するための最良の形態】
【００２４】
以下、図面を用いて本考案の実施の形態について説明する。
本実施の形態に係る和装品保管具１１ａ，１１ｂは、図１及び図３に示すように、和装品１６を内部に収納して密封しうる袋部材１２と、上記和装品１６を被覆して上記袋部材１２内部に収納されるカバー部材１３と、上記和装品１６ａ，１６ｂを被覆した上記カバー部材１３と共に上記袋部材１２内部に収納される酸素吸収部材１５とを有して構成されている。    
【００２５】
また、上記カバー部材１３として、図１及び図３に示すように、畳紙１７が使用されている。
なお、図３及び図４に示す実施形態では、上記和装品１６ｂは和紙２５に包まれてから上記畳紙１７により被覆される。
また、図１及び図３に示すように、上記袋部材１２内部には湿度調整部材１４も収納される。
【００２６】
なお、上記湿度調整部材１４としては調湿シート１８が用いられている。
また、上記酸素吸収部材１５は、含有する鉄分が酸化することにより酸素を吸収しうるように形成されている。
【００２７】
また、図１及び図３に示すように、上記酸素吸収部材１５は、酸素を吸収した状態を表示しうる検出部材１９を有している。
また、上記袋部材１２は、図２及び図４に示すように、外側にナイロン層２２を、内側にポリエチレン層２３を有する二層構造のプラスチックシート２１により形成され、一辺部に開口部２０を有する略方形に形成され、上記開口部２０は熱溶着により密封しうるように形成されている。
【実施例１】
【００２８】
図１及び図２は実施例１に係る和装品保管具１１ａを示したものである。
本実施例１に係る上記和装品保管具１１ａは、図１に示すように、袋部材１２と、カバー部材１３と、酸素吸収部材１５と、湿度調整部材１４とから構成されている。
【００２９】
上記袋部材１２は、図１に示すように、透明なプラスチックシート２１製で、着物等の和装品１６ａを収納可能なサイズを有する略方形に形成され、その一辺部に上記和装品１６を出し入れ可能な開口部２０を有している。
【００３０】
上記袋部材１２を形成する上記プラスチックシート２１は、図２に示すように、二層構造に形成され、厚さ寸法１０ミクロンのナイロン層２２が外側に、厚さ寸法８０〜１００ミクロンのポリエチレン層２３が内側に配置されている。
【００３１】
上記袋部材１２は上記開口部２０を簡易溶着機により容易に熱溶着して密封しうるように形成されている。
【００３２】
上記和装品１６ａは上記袋部材１２に収納されるが、図２に示すように、上記カバー部材１３により被覆された状態で収納される。
【００３３】
上記カバー部材１３には畳紙１７が使用されている。即ち、図２に示すように、上記和装品１６ａは上記畳紙１７により包装された状態で上記袋部材１２に収納される。
【００３４】
上記袋部材１２の内部には、図２に示すように、上記湿度調整部材１４も収納される。
【００３５】
上記湿度調整部材１４としては、図１に示すように、嵩張らないようにシート状に形成された調湿シート１８（商品名「安心どすえ」）が使用されている。
【００３６】
上記調湿シート１８は、図２に示すように、上記和装品１６を包装した上記畳紙１７の上に被せられるように載置される。この場合、上記畳紙１７に吸湿性があればより好適である。
【００３７】
上記袋部材１２の内部の酸素を除去するために、図２に示すように、上記袋部材１２の内部には上記酸素吸収部材１５が収納される。上記酸素吸収部材１５は上記調湿シート１８の上に載置される。
【００３８】
上記酸素吸収部材１５には、成分中に鉄分を含有し、その鉄分が酸化する際に酸素を吸収する機能を有するものが使用されている。
上記酸素吸収部材１５としては「エージレス」（商品名）が使用されている。
【００３９】
上記酸素吸収部材１５には、図１に示すように、酸素を吸収した状態を表示しうる検出部材１９が付加されている。
【００４０】
上記検出部材１９としては「エージレスアイ」（商品名）が使用されている。この「エージレスアイ」は錠剤状に形成され、酸素を吸収していない状態では紫色を維持するが、酸素を吸収した状態ではピンクに変色する性質を有している。
【００４１】
したがって、使用者はその変色を目視して確認することにより酸素が吸収されたか否かを確認することができる。
【００４２】
図２に示すように、和装品１６ａを被覆した上記畳紙１７と、上記調湿シート１８と、上記酸素吸収部材１５を収納した上記袋部材１２は上記開口部２０を熱溶着することにより密封されて保管される。なお、図２中、符号２４の指し示す箇所が溶着密封部である。
【実施例２】
【００４３】
次に、図３及び図４は実施例２に係る和装品保管具１１ｂを示したものである。
本実施例２に係る和装品保管具１１ｂは、高級品の和装品１６ｂを保管する場合に使用されるように構成されている。
そのために、本実施例２に係る和装品保管具１１ｂは、図３に示すように、上記実施例１に係る和装品保管具１１ａに、和紙２５が付加された構成になっている。
【００４４】
即ち、本実施例２に係る和装品保管具１１ｂは、図３に示すように、袋部材１２と、カバー部材１３と、酸素吸収部材１５と、湿度調整部材１４と、和紙２５とから構成されている。
【００４５】
上記袋部材１２と、カバー部材１３と、酸素吸収部材１５と、湿度調整部材１４は、上記実施例１の和装品保管具１１ａに使用されたものと同一なので説明は省略する。
【００４６】
上記和紙２５は、図４に示すように、上記和装品１６ｂを包むために使用される。
即ち、上記和装品１６ｂは上記和紙２５に包まれた状態で、さらに上記カバー部材１３である上記畳紙１７により二重に被覆される。
【００４７】
その他の構造は上記実施例１と同一である。
【００４８】
次に上記実施例１及び実施例２の作用について説明する。
着物等の和装品１６ａ，１６ｂは、図２及び図４に示すように、上記袋部材１２の内部に収納され、上記袋部材１２が密封された状態で保管されることになる。
【００４９】
上記和装品１６ａ，１６ｂを上記袋部材１２の内部に収納する際、上記和装品１６ａ，１６ｂはカバー部材１３である畳紙１７により被覆された状態で収納される。
なお、高級な和装品１６ｂの場合は、上記実施例２で示したように、和紙２５で和装品１６ｂを被覆してから、さらに、上記畳紙１７で二重に被覆することにより、上記和装品１６ｂの保護を強化することができる。
【００５０】
上記畳紙１７で被覆された上記和装品１６ａ，１６ｂを上記袋部材１２に収納する際、上記袋部材１２の内部には上記酸素吸収部材１５が一緒に収納される。
上記酸素吸収部材１５は、密封された上記袋部材１２の内部の酸素を吸収するので、上記袋部材１２内部の酸素は除去され、若しくは減少する。
【００５１】
上記袋部材１２内部の酸素が除去されることにより、上記袋部材１２に収納された上記和装品１６ａ，１６ｂにはカビが発生しにくくなり、且つ虫食いも生じにくくなる。
したがって、上記和装品１６ａ，１６ｂを手入れすることなく良好な状態で長期間保管することができる。
【００５２】
また、上記和装品１６ａ，１６ｂは上記畳紙１７と上記袋部材１２とにより二重に被覆されることになるので、外部環境の影響を受けにくくなり、変質せず良好な保管状態が維持される。
【００５３】
また、上記和装品１６ａ，１６ｂは、上記畳紙１７で被覆されることにより、直接に、和装品１６ａ，１６ｂが袋部材１２の内表面と接触することがないため、上記和装品１６ａ，１６ｂを袋部材１２に収納する際、又は、袋部材１２に和装品１６ａ，１６ｂを収納した後、保管場所へ移送し、保管場所に載置する際に、和装品１６ａ，１６ｂの表面に皺がよったり、和装品１６ａ，１６ｂの折り畳み状態に型崩れが発生し、和装品１６ａ，１６ｂの外観品質の低下を招く事態を有効に防止することができる。
【００５４】
また、上記畳紙１７で被覆された上記和装品１６ａ，１６ｂを上記袋部材１２に収納する際、上記袋部材１２の内部には、上記酸素吸収部材１５と共に、上記湿度調整部材１４としての上記調湿シート１８も一緒に収納される。
これにより、上記袋部材１２内部の湿度が一定に保たれ、上記和装品１６ａ，１６ｂが湿ったり、乾燥しすぎることがなくなる。
【００５５】
なお、上記湿度調整部材１４として上記調湿シート１８が用いられることにより、上記湿度調整部材１４が嵩張らず、上記袋部材１２内部の容積が狭められることがないので、上記和装品１６ａ，１６ｂの収納スペースが制約されない。
【００５６】
また、上記袋部材１２に収納される上記酸素吸収部材１５は、含有する鉄分が酸化することにより酸素を吸収しうるように形成されている。
【００５７】
例えば、上記袋部材１２内部の酸素を除去する方法として、上記袋部材１２内部の空気を吸引して酸素を除去する方法もあるが、このような方法を採ると、内部の空気が全て吸引されてしまい、袋部材１５の内表面が和装品に密着してしまうことから、和装品１６ａ，１６ｂである着物等に皺が発生する不具合がある。しかしながら、本考案の如く上記酸素吸収部材１５を使用すると、このような不具合がない。
【００５８】
また、上記酸素吸収部材１５には、酸素を吸収した状態を表示しうる検出部材１９が付加され、上記検出部材１９が上記袋部材１２内部の酸素が除去された際に反応し、使用者はその反応を目視することができるので、上記袋部材１２内部の酸素が確実に除去されているか否かを使用者は容易に確認することができる。したがって、上記酸素吸収部材１５の効き目が劣化した場合は即座に交換することができる。
【００５９】
また、上記袋部材１２は、外側にナイロン層２２を、内側にポリエチレン層２３を有する二層構造のプラスチックシート２１により形成されていることから、上記袋部材１２の強度が向上して破損しにくくなると共に、上記袋部材１２のガスバリアー性も向上して酸素が透過しにくくなるので、上記袋部材１２内部へ外部から酸素が侵入しにくくなる。
【産業上の利用可能性】
【００６０】
本考案は和装品の保管具に適用可能である。
【図面の簡単な説明】
【００６１】
【図１】実施例１に係る和装品保管具の使用前の分解状態を示す斜視図である。
【図２】実施例１に係る和装品保管具の使用状態を示す断面図である。
【図３】実施例２に係る和装品保管具の使用前の分解状態を示す斜視図である。
【図４】実施例２に係る和装品保管具の使用状態を示す断面図である。
【符号の説明】
【００６２】
１１ａ，１１ｂ  和装品保管具  
１２  袋部材
１３  カバー部材
１４  湿度調整部材
１５  酸素吸収部材
１６ａ，１６ｂ  和装品
１７  畳紙
１８  調湿シート
１９  検出部材
２０  開口部
２１  プラスチックシート
２２  ナイロン層
２３  ポリエチレン層
２４  溶着密封部
２５  和紙
【図１】
0003118881.tif 000003
【図２】
0003118881.tif 000004
【図３】
0003118881.tif 000005
【図４】
0003118881.tif 000006